(57)【要約】      （修正有）【課題】各側面の立設状態を保持する包装用箱、及び、保持手段が包装用箱に施されたデザインの一部を構成する包装用箱を提供する。【解決手段】第１側面２２と第２側面２３と第３側面２４、２５とを底面に対して立設させた状態を保持する第１保持手段１１は、第１側面２２の側縁部に連設される保持フラップ４１、４２と、第２側面２３に形成される、保持フラップ４１、４２の先端部が係止される係止部４３、４４と、を備える。第１側面２２と第２側面２３と第３側面２４、２５とを底面に対して立設させた状態で、保持フラップ４１、４２を第３側面２４、２５の外面側に回すとともに第２側面２３の係止部４３、４４に係止する。【選択図】図５
0003157887.tif 000002
【実用新案登録請求の範囲】
【請求項１】
底面と、前記底面に対してそれぞれ立設される第１側面と第２側面と、前記第１側面と前記第２側面との間で前記底面に対して立設される第３側面と、を少なくとも備え、前記第１側面と前記第２側面と前記第３側面とを前記底面に対して立設させた状態を保持する第１保持手段を備える包装用箱であって、
前記第１保持手段は、前記第１側面の側縁部に連設される保持フラップと、前記第２側面に形成される、前記保持フラップの先端部が係止される係止部と、を備え、
前記第１側面と前記第２側面と前記第３側面とを前記底面に対して立設させた状態で、前記保持フラップを前記第３側面の外面側に回すとともに前記第２側面の前記係止部に係止することにより、前記第１側面と前記第２側面と前記第３側面の立設状態が保持される、
ことを特徴とする包装用箱。
【請求項２】
前記第３側面は、前記第１側面の両側に少なくとも１面ずつ配設され、
前記第１保持手段は、第１側面の対向する側縁部に連設される複数の保持フラップを備える、
ことを特徴とする請求項１に記載の包装用箱。
【請求項３】
底面と、前記底面に対してそれぞれ立設される第１側面と第２側面と、前記第１側面と前記第２側面との間で前記底面に対して立設される第３側面と、を少なくとも備え、前記第１側面と前記第２側面と前記第３側面とを前記底面に対して立設させた状態を保持する第２保持手段を備える包装用箱であって、
前記第２保持手段は、前記第１側面の対向する側縁部に連設される複数の保持フラップを備え、
前記第１側面と前記第２側面と前記第３側面とを前記底面に対して立設させた状態で、前記複数の保持フラップを前記第２側面と前記第３側面の外面側に回すとともに前記複数の保持フラップを相互に係止することにより、前記第１側面と前記第２側面と前記第３側面の立設状態が保持される、
ことを特徴とする包装用箱。
【請求項４】
前記第３側面は、前記第１側面の両側に少なくとも１面ずつ配設される、
ことを特徴とする請求項３に記載の包装用箱。
【請求項５】
前記底面と、前記底面に対して立設された前記第１側面と前記第２側面と前記第３側面とで、略多角錐形状を構成する、
ことを特徴とする請求項１から４のいずれか１項に記載の包装用箱。
【請求項６】
前記底面に対して立設された前記第１側面と前記第３側面との立設状態を保持する第３保持手段を備える、
ことを特徴とする請求項５に記載の包装用箱。
【請求項７】
前記第３保持手段は、前記第１側面の上縁部に連設される第１係止片と、前記第３側面の側縁部に連設され、前記第１係止片に係止される第２係止片とを備える、
ことを特徴とする請求項６に記載の包装用箱。
【請求項８】
包装用箱に動物、キャラクター等のデザインが施されており、前記保持フラップは、前記デザインの一部を構成する、
ことを特徴とする請求項１から７のいずれか１項に記載の包装用箱。
【請求項９】
前記第１側面、前記第２側面、及び前記第３側面の少なくとも１面には、前記デザインの一部を構成する突出部が形成される、
ことを特徴とする請求項８に記載の包装用箱。
【請求項１０】
前記突出部には、前記動物、キャラクター等のデザインの一部である顔部が表示されている、
ことを特徴とする請求項９に記載の包装用箱。
【考案の詳細な説明】
【技術分野】
【０００１】
本考案は、包装用箱に関し、より詳細には、底面に対して側面の立設状態を保持する保持手段を備えた包装用箱、及び、その保持手段が包装用箱に施されたデザインの一部を構成する包装用箱に関する。
【背景技術】
【０００２】
従来、底面に対して側面の立設状態を保持する保持手段を備えた包装用箱が知られている（例えば、特許文献１参照。）。特許文献１の包装用箱は、側面の側縁部に連設した差込フラップを、隣接する側面に形成した差込スリットに差し込むことにより、底面に対して側面の立設状態を保持するものである。特許文献１の包装用箱は、隣接する側面間に保持手段を設けることによって側面の立設状態を保持するものであるが、離れた位置にある側面間に保持手段を設けることで側面の立設状態を保持するものではない。
【０００３】
また、従来、菓子等を収容する包装用箱や、祝い事等に用いる包装用箱として、動物やキャラクター等のデザインが施されたものが知られている（例えば、特許文献２、３、４参照。）。特許文献２の包装用箱では、デザイン部分である顔板と腕板とが係合されているが、収容部となる箱状胴部の側面は、デザイン部分である顔板及び腕板の係合とは関係なく、底面に対する立設状態が保持されている。
【０００４】
また、特許文献３、４では、包装用箱の蓋部に象や鶴のデザインが施されており、デザインが施された顔と尾の部分、又は顔と羽根の部分で蓋部を閉じる構成となっている。しかしながら、特許文献３、４では、収容部分の側面は、デザイン部分である顔と尾の部分の係合あるいは顔と羽根の部分の係合とは関係なく、底面に対する立設状態が保持されている。
【先行技術文献】
【特許文献】
【０００５】
【特許文献１】実開平３−１１７６１３号公報
【特許文献２】実公平１−８５０３号公報
【特許文献３】実公平２−４８３４４号公報
【特許文献４】実公昭６３−４４３４３号公報
【考案の概要】
【考案が解決しようとする課題】
【０００６】
そこで本考案は、離れた位置にある側面間に保持手段を設けることによって各側面の立設状態を保持する包装用箱を提供することを第１の目的とし、その保持手段が包装用箱に施されたデザインの一部を構成する包装用箱を提供することを第２の目的とする。
【課題を解決するための手段】
【０００７】
本考案の解決しようとする課題は以上の如くであり、次にこの課題を解決するための手段を説明する。
【０００８】
即ち、第１の考案では、
底面と、前記底面に対してそれぞれ立設される第１側面と第２側面と、前記第１側面と前記第２側面との間で前記底面に対して立設される第３側面と、を少なくとも備え、前記第１側面と前記第２側面と前記第３側面とを前記底面に対して立設させた状態を保持する第１保持手段を備える包装用箱であって、
前記第１保持手段は、前記第１側面の側縁部に連設される保持フラップと、前記第２側面に形成される、前記保持フラップの先端部が係止される係止部と、を備え、
前記第１側面と前記第２側面と前記第３側面とを前記底面に対して立設させた状態で、前記保持フラップを前記第３側面の外面側に回すとともに前記第２側面の前記係止部に係止することにより、前記第１側面と前記第２側面と前記第３側面の立設状態が保持される、ことを特徴とする包装用箱とした。
【０００９】
第２の考案では、第１の考案において、
前記第３側面は、前記第１側面の両側に少なくとも１面ずつ配設され、
前記第１保持手段は、第１側面の対向する側縁部に連設される複数の保持フラップを備える、ことを特徴とする包装用箱とした。
【００１０】
第３の考案では、
底面と、前記底面に対してそれぞれ立設される第１側面と第２側面と、前記第１側面と前記第２側面との間で前記底面に対して立設される第３側面と、を少なくとも備え、前記第１側面と前記第２側面と前記第３側面とを前記底面に対して立設させた状態を保持する第２保持手段を備える包装用箱であって、
前記第２保持手段は、前記第１側面の対向する側縁部に連設される複数の保持フラップを備え、
前記第１側面と前記第２側面と前記第３側面とを前記底面に対して立設させた状態で、前記複数の保持フラップを前記第２側面と前記第３側面の外面側に回すとともに前記複数の保持フラップを相互に係止することにより、前記第１側面と前記第２側面と前記第３側面の立設状態が保持される、ことを特徴とする包装用箱とした。
【００１１】
第４の考案では、第３の考案において、
前記第３側面は、前記第１側面の両側に少なくとも１面ずつ配設される、ことを特徴とする包装用箱とした。
【００１２】
第５の考案では、第１から第４の考案において、
前記底面と、前記底面に対して立設された前記第１側面と前記第２側面と前記第３側面とで、略多角錐形状を構成する、ことを特徴とする包装用箱とした。
【００１３】
第６の考案では、第５の考案において、
前記底面に対して立設された前記第１側面と前記第３側面との立設状態を保持する第３保持手段を備える、ことを特徴とする包装用箱とした。
【００１４】
第７の考案では、第６の考案において、
前記第３保持手段は、前記第１側面の上縁部に連設される第１係止片と、前記第３側面の側縁部に連設され、前記第１係止片に係止される第２係止片とを備える、ことを特徴とする包装用箱とした。
【００１５】
第８の考案では、第１から第７の考案において、
包装用箱に動物、キャラクター等のデザインが施されており、前記保持フラップは、前記デザインの一部を構成する、ことを特徴とする包装用箱とした。
【００１６】
第９の考案では、第８の考案において、
前記第１側面、前記第２側面、及び前記第３側面の少なくとも１面には、前記デザインの一部を構成する突出部が形成される、ことを特徴とする包装用箱とした。
【００１７】
第１０の考案では、第９の考案において、
前記突出部には、前記動物、キャラクター等のデザインの一部である顔部が表示されている、ことを特徴とする包装用箱とした。
【考案の効果】
【００１８】
本考案の効果として、以下に示すような効果を奏する。
【００１９】
第１の考案によれば、第１側面と第２側面と第３側面とを底面に対して立設させた状態で、保持フラップを第３側面の外面側に回すとともに第２側面の係止部に係止することにより、第１側面と第２側面と第３側面の立設状態が保持される。このため、第１保持手段を構成する保持フラップと係止部により、離れた位置にある第１側面と第２側面の立設状態を保持することができると同時に、第１側面と第２側面との間の第３側面の立設状態も保持することができる。
【００２０】
第２の考案によれば、第３側面が第１側面の両側に少なくとも１面ずつ配設されている場合でも、第１保持手段を構成する保持フラップと係止部により、離れた位置にある第１側面と第２側面の立設状態を保持することができると同時に、第１側面と第２側面との間の各第３側面の立設状態も保持することができる。
【００２１】
第３の考案によれば、第１側面と第２側面と第３側面とを底面に対して立設させた状態で、複数の保持フラップを第２側面と第３側面の外面側に回すとともに複数の保持フラップを相互に係止することにより、第１側面と第２側面と第３側面の立設状態が保持される。このため、第２保持手段を構成する複数の保持フラップにより、離れた位置にある第１側面と第２側面の立設状態を保持することができると同時に、第１側面と第２側面との間の第３側面の立設状態も保持することができる。
【００２２】
第４の考案によれば、第３側面が第１側面の両側に少なくとも１面ずつ配設されている場合でも、第２保持手段を構成する複数の保持フラップにより、離れた位置にある第１側面と第２側面の立設状態を保持することができると同時に、第１側面と第２側面との間の各第３側面の立設状態も保持することができる。
【００２３】
第５の考案によれば、底面と、底面に対して立設された第１側面と第２側面と第３側面とで、略多角錐形状を構成する包装用箱の場合であっても、離れた位置にある第１側面と第２側面の立設状態を、第１保持手段の保持フラップと係止部を係止することにより、あるいは、第２保持手段の複数の保持フラップを相互に係止することにより、保持することができると同時に、第１側面と第２側面との間の第３側面の立設状態も保持することができる。
【００２４】
第６の考案によれば、底面に対して立設された第１側面と第３側面との立設状態を保持する第３保持手段を備えるため、包装用箱の組み立てが容易となる。
【００２５】
第７の考案によれば、第３保持手段は、第１側面の上縁部に連設される第１係止片と、第３側面の側縁部に連設され、第１係止片に係止される第２係止片とを備えるため、第１係止片と第２係止片を係止することで、第１側面と第３側面との立設状態を容易に保持することができる。
【００２６】
第８の考案によれば、包装用箱に動物、キャラクター等のデザインが施されており、保持フラップは、デザインの一部を構成するため、保持手段を用いて包装用箱に施されたデザインの一部を構成することができる
【００２７】
第９の考案によれば、第１側面、第２側面、及び第３側面の少なくとも１面には、デザインの一部を構成する突出部が形成されるため、包装用箱のデザイン性を向上させることができる。
【００２８】
第１０の考案によれば、突出部には、動物、キャラクター等のデザインの一部である顔部が表示されているため、突出部と保持手段とを用いてデザインの一部を構成することにより、包装用箱のデザイン性をより向上させることができる。
【図面の簡単な説明】
【００２９】
【図１】第１の実施の形態に係る包装用箱１の箱展開形成体２の平面図。
【図２】包装用箱１を組み立てる途中の状態を示す、（Ａ）平面図（Ｂ）正面図。
【図３】第３保持手段１３の拡大図。
【図４】包装用箱１を組み立てる途中の状態を示す、（Ａ）平面図（Ｂ）正面図。
【図５】包装用箱１の完成状態を示す、（Ａ）平面図（Ｂ）正面図。
【図６】第２の実施の形態に係る包装用箱１の箱展開形成体２の平面図。
【図７】包装用箱１の完成状態を示す正面図。
【図８】第３の実施の形態に係る包装用箱１の箱展開形成体２の平面図。
【図９】包装用箱１の完成状態を示す正面図。
【考案を実施するための形態】
【００３０】
次に、考案の実施の形態について図を用いて説明する。
【００３１】
本考案の第１の実施形態に係る包装用箱１について、図１から図５を用いて説明する。
【００３２】
図１は包装用箱１の箱展開形成体２の平面図であり、図２は、包装用箱１を組み立てる途中の状態を示しており、図２Ａは平面図であり、図２Ｂは正面図である。包装用箱１は、図１に示す箱展開形成体２を組み立てて形成されるものであり、菓子等を収容する目的で用いる包装用箱１である。包装用箱１は展開された状態で菓子店等に納品され、菓子等を収容する前に組み立てが行われて完成状態の包装用箱１とされる。包装用箱１は、板紙、段ボールなどの厚紙で形成されるが、厚紙の他、合成樹脂素材を用いた板状部材等で形成してもよい。
【００３３】
本実施形態に係る包装用箱１の概略を説明すると、包装用箱１は、底面２１と、底面２１に対してそれぞれ立設される第１側面としての後側板２２と、第２側面としての前側板２３を備えており、また、後側板２２と前側板２３との間で底面２１に対して立設される第３側面としての左側板２４及び右側板２５を備えている。底面２１と、底面２１に対して立設された後側板２２と前側板２３、及び左側板２４と右側板２５とにより、略四角錐形状が構成される。
【００３４】
また、本実施形態に係る包装用箱１には、動物を模ったデザインが施されており、完成状態の包装用箱１は、動物が両腕を胴の前に回して、両手をポケットに入れている状態を模るようにしている。動物の顔部は、前側板２３に形成された突出部２６に模られており、動物の胴は、底面２１と、底面２１に対して立設された後側板２２と前側板２３、及び左側板２４と右側板２５とで模られている。そして、両腕を模っているのは、後側板２２に設けられる保持フラップとしての左保持フラップ４１と右保持フラップ４２で、ポケットを模っているのは、前側板２３に設けられる係止部としての左差込スリット４３と右差込スリット４４である。このうち、左保持フラップ４１と右保持フラップ４２、及び左差込スリット４３と右差込スリット４４は、後側板２２と前側板２３、及び左側板２４と右側板２５を底面２１に対して立設させた状態を保持する第１保持手段１１を構成する。従って、第１保持手段１１は、後側板２２と前側板２３、及び左側板２４と右側板２５を底面２１に対して立設させた状態を保持する機能だけでなく、デザインの一部を構成する機能をも備えている。
【００３５】
以下では、説明の容易のため、包装用箱１の前後は、デザイン上の前面を前側とし、デザイン上の後面を後側として説明する。そして、図１から図５の図示左側を左側とし、図示右側を右側とする。また、上下方向は、包装用箱１を組み立てて、底面２１を下にして載置した状態で、底面２１側を下方として説明する。
【００３６】
まず、図１に示す箱展開形成体２に従って包装用箱１を構成する部分を説明する。図１は、包装用箱１の内側となる面を紙面手前側として示している。底面２１は包装用箱１の底部を構成する部分であり、四角形状である。底面２１の後側の端部には、第１側面としての後側板２２が後側板折目線５１を介して連設されている。後側板２２は、包装用箱１の後側の側面を構成する部分であり、略台形状である。底面２１の前側の端部には、第２側面としての前側板２３が前側板折目線５２を介して連設されている。前側板２３は、包装用箱１の前側の側面を構成する部分であり、略台形状であり、上側には、デザインの一部を構成する突出部２６が形成されている。突出部２６は、動物の顔部に見えるようにデザインされている。
【００３７】
底面２１の左側の端部には、第３側面としての左側板２４が左側板折目線５３を介して連設されている。左側板２４は、包装用箱１の左側の側面を構成する部分であり、略三角形状である。底面２１の右側の端部には、第３側面としての右側板２５が右側板折目線５４を介して連設されている。右側板２５は、包装用箱１の右側の側面を構成する部分であり、略三角形状である。
【００３８】
左側板２４の前側の縁部には、左前フラップ３１が左前フラップ折目線５５を介して連設されており、左側板２４の後側の縁部には、左後フラップ３２が左後フラップ折目線５６を介して連設されている。また、右側板２５の前側の縁部には、右前フラップ３３が右前フラップ折目線５７を介して連設されており、右側板２５の後側の縁部には、右後フラップ３４が右後フラップ折目線５８を介して連設されている。尚、詳しくは後述するが、左前フラップ３１及び右前フラップ３３は、第３保持手段１３の第２係止片を構成するものである。
【００３９】
次に、後側板２２と前側板２３、及び左側板２４と右側板２５を底面２１に対して立設させた状態を保持するとともに、包装用箱１のデザインの一部を構成する第１保持手段１１について説明する（図５参照。）。第１保持手段１１は、後側板２２の側縁部に連設される保持フラップと、前側板２３に形成される係止部としての左差込スリット４３と右差込スリット４４を備えている。保持フラップは、左保持フラップ４１と右保持フラップ４２とからなり、左保持フラップ４１は、後側板２２の左側縁部に左保持フラップ折目線６１を介して連設されており、右保持フラップ４２は、後側板２２の右側縁部に右保持フラップ折目線６２を介して連設されている。係止部としての左差込スリット４３と右差込スリット４４は、保持フラップの先端部が係止される部分であり、左保持フラップ４１及び右保持フラップ４２に対応して、前側板２３に左差込スリット４３と右差込スリット４４とが形成される。左保持フラップ４１と右保持フラップ４２は、それぞれ動物が腕を胴の前に回した状態に見えるようにデザインされており、左差込スリット４３と右差込スリット４４は、それぞれ胴の前に回した手を入れるポケットに見えるようにデザインされている。
【００４０】
左保持フラップ４１には、後側板２２と前側板２３及び、左側板２４と右側板２５とを底面２１に対して立設させた状態で、左保持フラップ折目線６１で折り曲げ、左保持フラップ４１を左側板２４の外面側に回したときに、前側板２３と左側板２４とがなす稜線に沿って折り曲げることができるように、左保持フラップ折曲線４５が形成されている。また、右保持フラップ４２にも同様に、後側板２２と前側板２３及び、左側板２４と右側板２５とを底面２１に対して立設させた状態で、右保持フラップ折目線６２で折り曲げ、右保持フラップ４２を右側板２５の外面側に回したときに、前側板２３と右側板２５とがなす稜線に沿って折り曲げることができるように、右保持フラップ折曲線４６が形成されている。
【００４１】
左保持フラップ４１及び右保持フラップ４２の先端部には、それぞれ、左差込スリット４３と右差込スリット４４に差し込んだ際に抜け止めとなる切込線４１ａ、４２ａが形成されている。この切込線４１ａ、４２ａは、左保持フラップ４１及び右保持フラップ４２の先端部を、それぞれ、左差込スリット４３と右差込スリット４４に差し込んだ状態において、ポケットから親指が出ているように見えるようデザインされている。
【００４２】
次に、底面２１に対して立設された後側板２２、左側板２４及び右側板２５の立設状態を保持する第３保持手段１３について説明する。第３保持手段１３は、後側板２２の上縁部に連設される第１係止片としての係止フラップ３５と、左側板２４の前側の縁部に連設される第２係止片としての左前フラップ３１と、右側板２５の前側の縁部に連設される第２係止片としての右前フラップ３３と、を備える。係止フラップ３５は、係止フラップ折目線６３を介して後側板２２の上縁部に連設される。係止フラップ３５の左右縁部には、それぞれ切欠部３５ａ、３５ｂが形成され、左前フラップ３１の上部、及び右前フラップ３３の上部にも、切欠部３１ａ、３３ａが形成される。係止フラップ３５の切欠部３５ａ、３５ｂが、左前フラップ３１及び右前フラップ３３の切欠部３１ａ、３３ａに係合することにより、底面２１に対して立設された後側板２２、左側板２４及び右側板２５の立設状態が保持される（図３参照）。
【００４３】
続いて、包装用箱１を組み立てる場合について説明する。図３は第３保持手段１３の拡大図であり、図４は包装用箱１を組み立てる途中の状態を示している。図４Ａは平面図であり、図４Ｂは正面図である。また、図５は包装用箱１の完成状態を示しており、図５Ａは平面図であり、図５Ｂは正面図である。
【００４４】
図１の状態において、まず、左前フラップ折目線５５と左後フラップ折目線５６を谷折して、左前フラップ３１と左後フラップ３２を左側板２４に対して立設させ、右前フラップ折目線５７と右後フラップ折目線５８を谷折して、右前フラップ３３と右後フラップ３４を右側板２５に対して立設させる。次に、左側板折目線５３を谷折して左側板２４を底面２１に対して立設させ、右側板折目線５４を谷折して右側板２５を底面２１に対して立設させる。そして、図２Ａ、図２Ｂに示すように、後側板折目線５１を谷折して、後側板２２を底面２１に対して立設させ、後側板２２の内面側と、左後フラップ３２及び右後フラップ３４を当接させる。
【００４５】
次に、図２Ｂの状態において、係止フラップ折目線６３を谷折して係止フラップ３５を下方に折り曲げ、図３に示すように、係止フラップ３５の切欠部３５ａ、３５ｂを左前フラップ３１、及び右前フラップ３３の切欠部３１ａ、３３ａに係合させる。これにより、底面２１に対して立設された後側板２２、左側板２４及び右側板２５の立設状態が保持される。
【００４６】
次に、図４Ａ、図４Ｂに示すように、前側板折目線５２を折り曲げて、前側板２３を底面２１に対して立設させ、前側板２３の内面側と、左前フラップ３１及び右前フラップ３３を当接させる。
【００４７】
そして、図４Ａ、図４Ｂの状態において、左保持フラップ４１を左保持フラップ折目線６１で折り曲げ、左保持フラップ４１を左側板２４の外面側に回すとともに、左保持フラップ折曲線４５で折り曲げて、左保持フラップ４１を、前側板２３と左側板２４とがなす稜線に沿って折り曲げて前側板２３の外面側に回す。また、右保持フラップ４２を右保持フラップ折目線６２で折り曲げ、右保持フラップ４２を右側板２５の外面側に回すとともに、右保持フラップ折曲線４６で折り曲げて、右保持フラップ４２を、前側板２３と右側板２５とがなす稜線に沿って折り曲げて前側板２３の外面側に回す。
【００４８】
そして、図５Ａ、図５Ｂに示すように、左保持フラップ４１の先端部を左差込スリット４３に差し込んで係止し、右保持フラップ４２の先端部を右差込スリット４４に差し込んで係止することにより、後側板２２と前側板２３、及び左側板２４と右側板２５の立設状態が保持され、包装用箱１は完成状態となる。
【００４９】
以上説明した第１の実施形態に係る包装用箱１によれば、後側板２２と前側板２３、及び左側板２４と右側板２５を底面２１に対して立設させた状態で、左保持フラップ４１を左側板２４の外面側に回すとともに前側板２３の左差込スリット４３に係止し、右保持フラップ４２を右側板２５の外面側に回すとともに前側板２３の右差込スリット４４に係止することにより、後側板２２と前側板２３、及び左側板２４と右側板２５を底面２１に対して立設させた状態が保持される。このため、第１保持手段１１を構成する左保持フラップ４１と右保持フラップ４２及び、左差込スリット４３と右差込スリット４４により、離れた位置にある後側板２２と前側板２３の立設状態を保持することができると同時に、後側板２２と前側板２３との間の左側板２４及び右側板２５の立設状態も保持することができる。
【００５０】
後側板２２の両側に左側板２４及び右側板２５が配設されている状態、すなわち、後側板２２と前側板２３の間に側板が片側にそれぞれ少なくとも１面ずつ配設されている場合でも、第１保持手段１１により、離れた位置にある後側板２２と前側板２３の立設状態を保持することができると同時に、後側板２２と前側板２３との間の各側板の立設状態も保持することができる。
【００５１】
底面２１と、底面２１に対して立設された後側板２２と前側板２３、及び左側板２４と右側板２５とで、略四角錐形状を構成する包装用箱１の場合であっても、第１保持手段１１を構成する左保持フラップ４１と右保持フラップ４２及び、左差込スリット４３と右差込スリット４４により、後側板２２と前側板２３、及び左側板２４と右側板２５の立設状態を保持することができる。
【００５２】
底面２１に対して立設された後側板２２と左側板２４及び右側板２５の立設状態を保持する第３保持手段１３を備えるため、包装用箱１の組み立てが容易となる。
【００５３】
包装用箱１に動物のデザインが施されており、左保持フラップ４１と右保持フラップ４２は、動物のデザインの一部を構成している。このため、第１保持手段１１を用いて包装用箱１に施されたデザインの一部を構成することができる。
【００５４】
突出部２６を前側板２３に形成し、突出部２６には、デザインの一部である顔部が表示されている。このため、突出部２６と第１保持手段１１とを用いてデザインの一部を構成することにより、包装用箱１のデザイン性をより向上させることができる。
【００５５】
次に、本考案の第２の実施形態に係る包装用箱１について図６、図７を用いて説明する。図６は包装用箱１の箱展開形成体２の平面図であり、図７は包装用箱１の完成状態の正面図である。本実施形態では、第１保持手段１１の代わりに第２保持手段１２を備えている点と、キャラクターを模ったデザインが施されている点が第１の実施形態とは大きく異なっている。また、第３保持手段１３が省略されている。第１の実施形態と同一部分の詳しい説明は省略する。
【００５６】
本実施形態に係る包装用箱１の概略を説明すると、包装用箱１には、キャラクターを模ったデザインが施されており、完成状態の包装用箱１は、ポンチョを着用しているキャラクターを模るようにしている。キャラクターの顔部は、前側板２３に形成された突出部２６に模られており、キャラクターの胴は、底面２１と、底面２１に対して立設された後側板２２と前側板２３、及び左側板２４と右側板２５とで模られている。そして、ポンチョを模っているのは、後側板２２の対向する左右の側縁部に設けられた２つの保持フラップとしての左保持フラップ４１と右保持フラップ４２である。左保持フラップ４１と右保持フラップ４２は、後側板２２と前側板２３、及び左側板２４と右側板２５を底面２１に対して立設させた状態を保持する第２保持手段１２を構成する。従って、第２保持手段１２は、後側板２２と前側板２３、及び左側板２４と右側板２５を底面２１に対して立設させた状態を保持する機能だけでなく、デザインの一部を構成する機能をも備えている。
【００５７】
図６、図７を参照しながら、第２保持手段１２について説明すると、第２保持手段１２は、後側板２２の対向する側縁部に連設される２つの保持フラップである、左保持フラップ４１と右保持フラップ４２を備えている。左保持フラップ４１は、後側板２２の左側縁部に左保持フラップ折目線６１を介して連設されており、右保持フラップ４２は、後側板２２の右側縁部に右保持フラップ折目線６２を介して連設されている。左保持フラップ４１と右保持フラップ４２は、ポンチョを着用した状態に見えるようにデザインされている。
【００５８】
左保持フラップ４１には、後側板２２と前側板２３及び、左側板２４と右側板２５とを底面２１に対して立設させた状態で、左保持フラップ折目線６１で折り曲げ、左保持フラップ４１を左側板２４の外面側に回したときに、前側板２３と左側板２４とがなす稜線に沿って折り曲げることができるように、左保持フラップ折曲線４５が形成されている。また、右保持フラップ４２にも同様に、後側板２２と前側板２３及び、左側板２４と右側板２５とを底面２１に対して立設させた状態で、右保持フラップ折目線６２で折り曲げ、右保持フラップ４２を右側板２５の外面側に回したときに、前側板２３と右側板２５とがなす稜線に沿って折り曲げることができるように、右保持フラップ折曲線４６が形成されている。
【００５９】
左保持フラップ４１及び右保持フラップ４２の先端部には、それぞれ、左保持フラップ４１及び右保持フラップ４２を相互に係止することができるように切込線４１ｂ、４２ｂが形成されている。この切込線４１ｂ、４２ｂは、左保持フラップ４１及び右保持フラップ４２の先端部を、相互に係止した状態において、ポンチョのリボンを結んだ状態に見えるようデザインされている。
【００６０】
続いて、包装用箱１を組み立てる場合について説明する。ここでは、後側板２２と前側板２３及び、左側板２４と右側板２５とを底面２１に対して立設させるところまで組み立てた状態とし、この状態から以降の組み立てについて説明する。尚、上部フラップ３６は、包装用箱１の内側となるように下方に折り曲げられている。
【００６１】
まず、後側板２２と前側板２３及び、左側板２４と右側板２５とを底面２１に対して立設させた状態において、左保持フラップ４１を左保持フラップ折目線６１で折り曲げ、左保持フラップ４１を左側板２４の外面側に回すとともに、左保持フラップ折曲線４５で折り曲げて、左保持フラップ４１を、前側板２３と左側板２４とがなす稜線に沿って折り曲げて前側板２３の外面側に回す。また、右保持フラップ４２を右保持フラップ折目線６２で折り曲げ、右保持フラップ４２を右側板２５の外面側に回すとともに、右保持フラップ折曲線４６で折り曲げて、右保持フラップ４２を、前側板２３と右側板２５とがなす稜線に沿って折り曲げて前側板２３の外面側に回す。
【００６２】
そして、図７に示すように、左保持フラップ４１の先端部の切込線４１ｂと、右保持フラップ４２の先端部の切込線４２ｂを組み合わせて左保持フラップ４１と右保持フラップ４２を相互に係止することにより、後側板２２と前側板２３、及び左側板２４と右側板２５の立設状態が保持され、包装用箱１は完成状態となる。
【００６３】
次に、本実施形態に係る包装用箱１の変形例について図８、図９を用いて説明する。図８は包装用箱１の箱展開形成体２の平面図であり、図９は包装用箱１の完成状態の正面図である。この変形例では、デザインは異なっているが、第２保持手段１２を備えている点で共通している。
【００６４】
図８、図９に示すように、変形例の包装用箱１は、完成状態では、マフラーを着用しているキャラクターを模るようにしている。キャラクターの顔部は、前側板２３に形成された突出部２６に模られており、キャラクターの胴は、底面２１と、底面２１に対して立設された後側板２２と前側板２３、及び左側板２４と右側板２５とで模られている。そして、マフラーを模っているのは、後側板２２の対向する左右の側縁部に設けられた２つの保持フラップとしての、左保持フラップ４１と右保持フラップ４２である。左保持フラップ４１と右保持フラップ４２は、第２保持手段１２を構成している。
【００６５】
以上説明した第２の実施形態に係る包装用箱１によれば、後側板２２と前側板２３、及び左側板２４と右側板２５を底面２１に対して立設させた状態で、左保持フラップ４１を左側板２４の外面側に回すとともに前側板２３の外面側に回し、右保持フラップ４２を右側板２５の外面側に回すとともに前側板２３の外面側に回し、左保持フラップ４１と右保持フラップ４２を相互に係止することにより、後側板２２と前側板２３、及び左側板２４と右側板２５を底面２１に対して立設させた状態が保持される。このため、第２保持手段１２を構成する左保持フラップ４１と右保持フラップ４２により、離れた位置にある後側板２２と前側板２３の立設状態を保持することができると同時に、後側板２２と前側板２３との間の左側板２４及び右側板２５の立設状態も保持することができる。
【００６６】
後側板２２の両側に左側板２４及び右側板２５が配設されている状態、すなわち、後側板２２と前側板２３の間に側板が片側にそれぞれ少なくとも１面ずつ配設されている場合でも、第２保持手段１２により、離れた位置にある後側板２２と前側板２３の立設状態を保持することができると同時に、後側板２２と前側板２３との間の各側板の立設状態も保持することができる。
【００６７】
底面２１と、底面２１に対して立設された後側板２２と前側板２３、及び左側板２４と右側板２５とで、略四角錐形状を構成する包装用箱１の場合であっても、第２保持手段１２を構成する左保持フラップ４１と右保持フラップ４２により、後側板２２と前側板２３、及び左側板２４と右側板２５の立設状態を保持することができる。
【００６８】
包装用箱１にキャラクターのデザインが施されており、左保持フラップ４１と右保持フラップ４２は、キャラクターのデザインの一部を構成している。このため、第２保持手段１２を用いて包装用箱１に施されたデザインの一部を構成することができる。
【００６９】
突出部２６を前側板２３に形成し、突出部２６には、デザインの一部である顔部が表示されている。このため、突出部２６と第２保持手段１２とを用いてデザインの一部を構成することにより、包装用箱１のデザイン性をより向上させることができる。
【００７０】
尚、実施の形態は上記に限定されるものではなく、例えば次のように変更してもよい。
【００７１】
底面２１は、実施の形態では四角形状としたが、三角形あるいは五角以上の多角形としてもよい。底面２１の形状が三角形である場合には、第３側面は１面となり、五角以上の多角形とした場合には、第３側面は３面以上となる。
【００７２】
包装用箱１の収容部の形状は、実施の形態では略四角錘形状としたが、柱状やその他の立体形状であってもよい。
【００７３】
第１保持手段１１における、保持フラップと係止部との係止手段、第２保持手段１２における保持フラップ相互の係止手段、及び、第３保持手段１３における係止手段は、それぞれ実施の形態で説明した係止手段に限定されず、公知の係止手段を採用することができる。
【００７４】
動物やキャラクターのデザインは実施の形態のデザインに限定されるものではなく、他の動物やキャラクター、あるいはその他のデザインを採用することができる。また、突出部２６は第２側面としての前側板２３に形成したが、第１側面や第３側面に形成してもよい。
【００７５】
以上説明した本考案の技術的範囲は、上記の実施の形態に限定されるものではなく、上記実施の形態の形状に限定されない。本考案の技術的範囲は、本明細書及び図面に記載した事項から明らかになる本考案が真に意図する技術的思想の範囲全体に、広く及ぶものである。
【符号の説明】
【００７６】
１    包装用箱
２    箱展開形成体
１１    第１保持手段
１２    第２保持手段
１３    第３保持手段
２１    底面
２２    後側板
２３    前側板
２４    左側板
２５    右側板
２６    突出部
３１    左前フラップ
３１ａ、３３ａ    切欠部
３２    左後フラップ
３３    右前フラップ
３４    右後フラップ
３５    係止フラップ
３５ａ、３５ｂ    切欠部
３６    上部フラップ
４１    左保持フラップ
４２    右保持フラップ
４３    左差込スリット
４４    右差込スリット
４５    左保持フラップ折曲線
４６    右保持フラップ折曲線
４１ａ、４２ａ    切込線
４１ｂ、４２ｂ    切込線
５１    後側板折目線
５２    前側板折目線
５３    左側板折目線
５４    右側板折目線
５５    左前フラップ折目線
５６    左後フラップ折目線
５７    右前フラップ折目線
５８    右後フラップ折目線
６１    左保持フラップ折目線
６２    右保持フラップ折目線
６３    係止フラップ折目線
【図１】
0003157887.tif 000003
【図２】
0003157887.tif 000004
【図３】
0003157887.tif 000005
【図４】
0003157887.tif 000006
【図５】
0003157887.tif 000007
【図６】
0003157887.tif 000008
【図７】
0003157887.tif 000009
【図８】
0003157887.tif 000010
【図９】
0003157887.tif 000011